(57)【特許請求の範囲】
【請求項１】
第１報知情報が第１周波数で送信されているマクロセル及び第２報知情報が第２周波数で送信されているフェムトセルの少なくとも一部が地理的に重なっている移動通信システムにおける移動通信方法であって、
前記フェムトセル用無線基地局が、前記第１報知情報に応じた設定に基づいて、前記フェムトセルと地理的に重なるパイロットセルにおいて、前記第１周波数で、誘導用報知情報を送信する工程Ａと、
前記マクロセルにおいて通信中の移動局が、前記誘導用報知情報を検出した場合に、前記フェムトセルに対してハンドオーバする工程Ｂと
を有することを特徴とする移動通信方法。
【請求項２】
前記工程Ｂにおいて、
前記移動局が、前記誘導用報知情報の受信電力を含む測定報告を送信する工程Ｂ１と、
前記測定報告に応じて、前記移動局に対して、前記フェムトセルにハンドオーバするように指示するハンドオーバ指示を送信する工程Ｂ２と、
前記移動局が、前記ハンドオーバ指示に応じて、前記フェムトセルにハンドオーバする工程Ｂ３とを有することを特徴とする請求項１に記載の移動通信方法。
【請求項３】
前記工程Ｂ２において、前記測定報告に応じて、前記移動局の前記フェムトセルに対するアクセスが許可されていると判定した場合に、該移動局に対して、該フェムトセルにハンドオーバするように指示するハンドオーバ指示を送信することを特徴とする請求項２に記載の移動通信方法。
【請求項４】
前記フェムトセル用無線基地局が、周辺セルにおいて送信されている報知情報に基づいて、前記フェムトセルにおいて前記第２周波数で前記第２報知情報を送信することを決定する工程を有することを特徴とする請求項１に記載の移動通信方法。
【請求項５】
第１報知情報が第１周波数で送信されているマクロセル及び第２報知情報が第２周波数で送信されているフェムトセルの少なくとも一部が地理的に重なっている移動通信システムにおいて、該フェムトセルを管理するフェムトセル用無線基地局であって、
前記第１報知情報に応じた設定に基づいて、前記フェムトセルと地理的に重なるパイロットセルにおいて、前記第１周波数で、誘導用報知情報を送信するように構成されている設定部を具備することを特徴とするフェムトセル用無線基地局。
【請求項６】
周辺セルにおいて送信されている報知情報に基づいて、前記フェムトセルにおいて前記第２周波数で前記第２報知情報を送信することを決定するように構成されている決定部を具備することを特徴とする請求項５に記載のフェムトセル用無線基地局。
【請求項７】
前記マクロセルにおいて通信中の移動局から送信された測定報告に、前記誘導用報知情報の受信電力が含まれていた場合に、該移動局に対して、前記フェムトセルにハンドオーバするように指示するハンドオーバ指示を送信するように構成されているハンドオーバ処理部を具備することを特徴とする請求項５に記載のフェムトセル用無線基地局。
【請求項８】
前記ハンドオーバ処理部は、前記測定報告に前記誘導用報知情報の受信電力が含まれていた場合で、かつ、前記移動局の前記フェムトセルに対するアクセスが許可されていると判定した場合に、該移動局に対して、前記フェムトセルにハンドオーバするように指示するハンドオーバ指示を送信するように構成されていることを特徴とする請求項７に記載のフェムトセル用無線基地局。
【発明の詳細な説明】
【技術分野】
【０００１】
本発明は、第１報知情報が第１周波数で送信されているマクロセル及び第２報知情報が第２周波数で送信されているフェムトセルの少なくとも一部が地理的に重なっている移動通信システムにおける移動通信方法及びフェムトセル用無線基地局に関する。
【背景技術】
【０００２】
移動通信システムにおいて、ハンドオーバを実施する方式として、「パイロットセル」を使用する方式がある。
【０００３】
例えば、ＷＣＤＭＡ方式の移動通信システムにおいて、「Ｐｉｌｏｔ  Ｃａｒｒｉｅｒ方式」のハンドオーバ手順は、移動局に対して、測定報告対象のセルにおける通信品質としてパイロットセルにおける通信品質を測定させ、測定報告（Ｍｅａｓｕｒｅｍｅｎｔ  Ｒｅｐｏｒｔ）によってパイロットセルにおける通信品質の測定結果が報告された場合、当該移動局を、異なる周波数のセルに対してハンドオーバさせるように構成されている。
【０００４】
かかる移動通信システムでは、移動通信事業者が、特定周波数のセルが配置されていないエリアにパイロットセルを配置することによって、シームレスな通信を実現している。
【発明の概要】
【発明が解決しようとする課題】
【０００５】
従来の「Ｐｉｌｏｔ  Ｃａｒｒｉｅｒ方式」のハンドオーバ手順が適用されているＷＣＤＭＡ方式の移動通信システムでは、移動通信事業者が、パイロットセルを設定するように構成されている。
【０００６】
しかしながら、「フェムトセル用無線基地局（Ｆｅｍｔｏ  ＢＴＳ）」と呼ばれる家庭等の小規模なエリアに設置される無線基地局は、ユーザ自身によって設定されることが想定されているため、設置される数が非常に多くなることが見込まれ、通信事業者によるパイロットセルの設定作業が多大になるという問題点があった。
【０００７】
そこで、本発明は、上述の課題に鑑みてなされたものであり、フェムトセルにおいて容易にパイロットセルを設定することができる移動通信方法及びフェムトセル用無線基地局を提供することを目的とする。
【課題を解決するための手段】
【０００８】
本発明の第１の特徴は、第１報知情報が第１周波数で送信されているマクロセル及び第２報知情報が第２周波数で送信されているフェムトセルの少なくとも一部が地理的に重なっている移動通信システムにおける移動通信方法であって、前記フェムトセル用無線基地局が、前記第１報知情報に応じた設定に基づいて、前記フェムトセルと地理的に重なるパイロットセルにおいて、前記第１周波数で、誘導用報知情報を送信する工程Ａと、前記マクロセルにおいて通信中の移動局が、前記誘導用報知情報を検出した場合に、前記フェムトセルに対してハンドオーバする工程Ｂとを有することを要旨とする。
【０００９】
本発明の第２の特徴は、第１報知情報が第１周波数で送信されているマクロセル及び第２報知情報が第２周波数で送信されているフェムトセルの少なくとも一部が地理的に重なっている移動通信システムにおいて、該フェムトセルを管理するフェムトセル用無線基地局であって、前記第１報知情報に応じた設定に基づいて、前記フェムトセルと地理的に重なるパイロットセルにおいて、前記第１周波数で、誘導用報知情報を送信するように構成されている設定部を具備することを要旨とする。
【発明の効果】
【００１０】
以上説明したように、本発明によれば、フェムトセルにおいて容易にパイロットセルを設定することができる移動通信方法及びフェムトセル用無線基地局を提供することができる。
【図面の簡単な説明】
【００１１】
【図１】本発明の第１の実施形態に係る移動通信システムの全体構成図である。
【図２】本発明の第１の実施形態に係るフェムトセル用無線基地局の機能ブロック図である。
【図３】本発明の第１の実施形態に係るフェムトセル用無線基地局によって設定されるパイロットセルの一例を示す図である。
【図４】本発明の第１の実施形態に係るネットワーク装置の機能ブロック図である。
【図５】本発明の第１の実施形態に係るネットワーク装置によって管理されているパイロット情報の一例を示す図である。
【図６】本発明の第１の実施形態に係るネットワーク装置によって管理されているアクセス情報の一例を示す図である。
【図７】本発明の第１の実施形態に係る移動通信システムの動作を示すシーケンス図である。
【図８】本発明の変更例に係るフェムトセル用無線基地局の機能ブロック図である。
【図９】本発明の変更例に係る移動通信システムの動作を示すシーケンス図である。
【図１０】本発明の変更例２に係る移動通信システムの全体構成図である。
【発明を実施するための形態】
【００１２】
（本発明の第１の実施形態に係る移動通信システムの構成）
図１乃至図６を参照して、本発明の第１の実施形態に係る移動通信システムの構成について説明する。
【００１３】
図１に示すように、本実施形態に係る移動通信システムは、ネットワーク装置１０と、マクロセル＃Ａ１乃至＃Ａ４を管理するマクロセル用無線基地局＃Ａ１乃至＃Ａ４と、フェムトセル＃ａ２を管理するフェムトセル用無線基地局＃ａ２とを具備している。
【００１４】
かかる移動通信システムでは、マクロセル＃Ａ１乃至＃Ａ４の各々は、少なくとも一部で互いに地理的に重なっており、フェムトセル＃ａ２は、マクロセル＃Ａ１乃至＃Ａ３と地理的に重なっている。
【００１５】
また、かかる移動通信システムでは、マクロセル＃Ａ１では、第１周波数ｆ１で報知情報（第１報知情報、パイロット信号）が送信されており、マクロセル＃Ａ２では、第２周波数ｆ２で報知情報（パイロット信号）が送信されており、マクロセル＃Ａ３では、第３周波数ｆ３で報知情報（パイロット信号）が送信されており、マクロセル＃Ａ４では、第４周波数ｆ４で報知情報（パイロット信号）が送信されており、フェムトセル＃ａ２では、第２周波数ｆ２で報知情報（第２報知情報、パイロット信号）が送信されている。
【００１６】
なお、マクロセル＃Ａ１乃至＃Ａ４では、それぞれ異なるスクランブリングコードが用いられてもよいし、同一のスクランブリングコードが用いられていてもよい。
【００１７】
一方、フェムトセル＃ａ２では、マクロセル＃Ａ１乃至＃Ａ４で用いられているスクランブリングコードと異なるスクランブリングコードが用いられている。
【００１８】
図２に示すように、フェムトセル用無線基地局＃ａ２は、周辺セル検出部１１と、設定部１２と、パイロット信号送信部１３と、ハンドオーバ処理部１４と、アクセス情報取得部１５とを具備している。
【００１９】
周辺セル検出部１１は、周辺セルにおいて送信されている報知情報を検出するように構成されている。
【００２０】
図１の例では、周辺セル検出部１１は、マクロセル＃Ａ１において第１周波数ｆ１で送信されている報知情報と、マクロセル＃Ａ２において第２周波数ｆ２で送信されている報知情報と、マクロセル＃Ａ３において第３周波数ｆ３で送信されている報知情報とを検出するように構成されている。
【００２１】
設定部１２は、周辺セル検出部１によって検出された報知情報に基づいて、フェムトセル＃ａ２において第２周波数ｆ２で報知情報（第２報知情報）を送信することを決定するように構成されている。
【００２２】
すなわち、設定部１２は、フェムトセル用無線基地局＃ａ２が設置される際に、周辺のマクロセルにおいて使用されている周波数に基づいて、フェムトセル＃ａ２において使用する周波数を決定する。
【００２３】
また、設定部１２は、周辺セル検出部１によって検出された報知情報に応じて、図３に示すように、第１周波数ｆ１及び第３周波数ｆ３で誘導用報知情報を送信するパイロットセル（Ｈｏｍｅ  Ｐｉｌｏｔ  Ｃａｒｒｉｅｒ）＃ａ１及び＃ａ３を自動的に設定するように構成されている。
【００２４】
なお、図３に示すように、設定部１２は、マクロセル＃Ａ４において報知情報が検出されなかったため、パイロットセルを設定してない。
【００２５】
また、設定部１２は、フェムトセル＃ａ２に対してアクセス権を有する移動局ＵＥ＃１に対して、設定したパイロットセル＃ａ１及び＃ａ３に対するアクセス権を設定するように構成されていてもよい。この結果、フェムトセル＃ａ２に対してアクセスが可能である移動局ＵＥ＃１は、自動的に、パイロットセル＃ａ１及び＃ａ３に対してアクセスが可能になる。
【００２６】
ここで、フェムトセル用無線基地局＃ａ２において設定されたフェムトセル＃ａ２とパイロットセル＃ａ１及び＃ａ３とを総称して「ホームエリア」と呼ぶ。
【００２７】
パイロット信号送信部１３は、設定部１２によって設定されたパイロットセル＃ａ１及び＃ａ３において、それぞれ第１周波数ｆ１及び第３周波数ｆ３で、誘導用報知情報（パイロット信号）を送信するように構成されている。
【００２８】
また、パイロット信号送信部１３は、設定部１２によって設定されたフェムトセル＃ａ２において、第２周波数ｆ２で、第２報知情報（パイロット信号）を送信するように構成されている。
【００２９】
ハンドオーバ処理部１４は、移動局ＵＥ＃１に係るハンドオーバ処理を行うように構成されている。
【００３０】
図４に示すように、ネットワーク装置１０は、パイロットセル情報受信部２１と、パイロットセル情報管理部２２と、アクセス情報管理部２３と、測定制御情報送信部２４と、測定報告受信部２５と、ハンドオーバ指示送信部２６とを具備している。
【００３１】
例えば、かかるネットワーク装置１０の機能は、無線制御装置ＲＮＣ内に設けられていてもよいし、コアネットワーク装置（例えば、交換局ＭＳＣ/ＳＧＳＮ）内に設けられていてもよい。
【００３２】
パイロットセル情報受信部２１は、フェムトセル用無線基地局＃ａ２によって設定されたパイロットセルに係る情報（パイロット情報）を受信するように構成されている。
【００３３】
パイロットセル情報管理部２２は、フェムトセルと、当該フェムトセルに地理的に重なっているパイロットセルとを関連付けて記憶するように構成されている。例えば、パイロットセル情報管理部２２は、「パイロットセルＩＤ」と、「ハンドオーバ先セルＩＤ（すなわち、フェムトセルＩＤ）」とを関連付けるように構成されている。
【００３４】
アクセス情報管理部２３は、各フェムトセル用無線基地局（或いは、フェムトセル）に対してアクセスが許可されている移動局に係る情報（アクセス情報）を管理するように構成されている。
【００３５】
例えば、アクセス情報管理部２３は、図６に示すように、「無線基地局ＩＤ（フェムト無線基地局ＩＤ）」と、「アクセス許可移動局ＩＤ」とを関連付けるように構成されている。
【００３６】
なお、ネットワーク装置１０の機能が、無線制御装置ＲＮＣ内に設けられている場合であっても、アクセス情報管理部２３は、コアネットワーク装置内に設けられていてもよい。
【００３７】
測定制御情報送信部２４は、パイロットセル情報管理部２２及びアクセス情報管理部２３を参照して、マクロセルにおいて通信を開始する移動局に対して、測定制御情報（Ｍｅａｓｕｒｅｍｅｎｔ  Ｃｏｎｔｒｏｌ）を送信するように構成されている。
【００３８】
例えば、フェムトセル＃ａ２に対するアクセスが許可されている移動局ＵＥ＃１が、マクロセル＃Ａ１において通信を開始する際に、測定制御情報送信部２４は、当該移動局Ｕ
Ｅ＃１に対して、パイロットセル＃ａ１における通信品質（誘導用報知情報の受信電力等）を測定し、かかる測定結果を報告するように指示する測定制御情報を送信するように構成されている。
【００３９】
測定報告受信部２５は、移動局から送信された測定報告（Ｍｅａｓｕｒｅｍｅｎｔ  Ｒｅｐｏｒｔ）を受信するように構成されている。
【００４０】
ハンドオーバ指示送信部２６は、ネットワーク装置１０配下のセル（例えば、マクロセルやフェムトセル等）において通信中の移動局に対して、ハンドオーバ指示（Ｈａｎｄｏｖｅｒ  Ｃｏｍｍａｎｄ等）を送信するように構成されている。
【００４１】
具体的には、ハンドオーバ指示送信部２６は、マクロセル＃Ａ１において通信中の移動局ＵＥ＃１から送信された測定報告に、パイロットセル＃ａ１において第１周波数ｆ１で送信されている誘導用報知情報の受信電力が含まれていた場合に、移動局ＵＥ＃１に対して、パイロットセル＃ａ１に関連付けられているフェムトセル＃ａ２にハンドオーバするように指示するハンドオーバ指示を送信するように構成されている。
【００４２】
また、ハンドオーバ指示送信部２６は、かかる測定報告に誘導用報知情報の受信電力が含まれていた場合で、かつ、移動局ＵＥ＃１のフェムトセル＃ａ２に対するアクセスが許可されていると判定した場合に、移動局ＵＥ＃１に対して、フェムトセル＃ａ２にハンドオーバするように指示するハンドオーバ指示を送信するように構成されていてもよい。
【００４３】
（本発明の第１の実施形態に係る移動通信システムの動作）
図７を参照して、本発明の第１の実施形態に係る移動通信システムの動作について説明する。
【００４４】
図７に示すように、ステップＳ１００１において、フェムトセル用無線基地局＃ａ２は、設置されると、周辺のマクロセルにおいて使用されている周波数を検出し、フェムトセル＃ａ２において使用する周波数ｆ２を決定し、パイロットセル＃ａ１及び＃ａ３を設定する。
【００４５】
ステップＳ１００２において、フェムトセル用無線基地局＃ａ２は、設定したパイロットセル＃ａ１及び＃ａ３を通知するためのパイロット情報を、ネットワーク装置１０に対して送信する。
【００４６】
ステップＳ１００３において、ネットワーク装置１０は、マクロセル＃Ａ１において通信を開始する移動局ＵＥ＃１或いはマクロセル＃Ａ１において通信中の移動局ＵＥ＃１に対して、パイロットセル＃ａ１及び＃ａ３を測定対象とするように指示する測定制御情報を送信する。
【００４７】
移動局ＵＥ＃１は、ステップＳ１００４において、パイロットセル＃ａ１及び＃ａ３における通信品質（誘導用報知情報の受信電力等）を測定し、ステップＳ１００５において、かかる測定結果を含む測定報告を、ネットワーク装置１０に対して送信する。
【００４８】
ネットワーク装置１０は、ステップＳ１００６において、移動局ＵＥ＃１が、パイロットセル＃ａ１に関連付けられているフェムトセル＃ａ２にハンドオーバすべき旨を決定し、ステップＳ１００７において、かかる旨を指示するハンドオーバ指示を移動局ＵＥ＃１
に送信する。
【００４９】
ステップＳ１００８において、移動局ＵＥ＃１は、フェムトセル＃ａ２にハンドオーバする。
【００５０】
（本発明の第１の実施形態に係る移動通信システムの作用・効果）
本発明の第１の実施形態に係る移動通信システムによれば、フェムトセル用無線基地局＃ａ２に対するアクセス権を有する移動局ＵＥ＃１は、マクロセル＃Ａ１及び＃Ａ３上の周波数ｆ１及びｆ３のどちらかを使用している場合に、ホームエリア近傍でパイロットセル＃Ａ１或いは＃Ａ３における誘導用報知情報を検出した場合には、Ｐｉｌｏｔ  Ｃａｒｒｉｅｒ方式のハンドオーバによって、フェムトセル＃ａ２にハンドオーバすることができるため、フェムトセル＃ａ２への誘導を実現することができる。
【００５１】
また、本発明の第１の実施形態に係る移動通信システムによれば、移動局ＵＥにおける異周波数測定を伴わず、同一周波数の測定報告を用いて異周波数セルへのハンドオーバを実施できることから、例えば「Ｃｏｍｐｒｅｓｓｅｄモード」機能を具備していない移動局ＵＥであっても、フェムトセル＃ａ２へ誘導することができる。
【００５２】
さらに、本発明の第１の実施形態に係る移動通信システムによれば、パイロットセル＃ａ１における通信品質を移動局ＵＥ＃１に観測させるか否かについて制御することで、非登録移動局をフェムトセル用無線基地局＃ａ２にアクセスさせず、且つ、登録移動局に対してのみフェムトセル用無線基地局＃ａ２にアクセスを許可することができる。
【００５３】
（変更例１）
上述の実施形態では、Ｗ-ＣＤＭＡ方式の移動通信システムを例に挙げて説明されているが、本発明は、かかる移動通信システムに限定されるものではなく、例えば、ＬＴＥ（Ｌｏｎｇ  Ｔｅｒｍ  Ｅｖｏｌｕｔｉｏｎ）方式の移動通信システムにも適用可能である。
【００５４】
かかる場合、上述の無線制御装置ＲＮＣの機能は、フェムトセル用無線基地局＃ａ２又はコアネットワーク装置に搭載されることになる。以下、図８及び図９を参照して、本変更例に係る移動通信システムについて、上述の第１の実施形態に係る移動通信システムとの相違点に着目して説明する。
【００５５】
図８に示すように、本変更例に係るフェムトセル用無線基地局＃ａ２は、周辺セル検出部１１と、設定部１２と、パイロット信号送信部１３と、ハンドオーバ処理部１４と、アクセス情報取得部１５と、パイロットセル情報管理部２２と、測定制御情報送信部２４と、測定報告受信部２５とを具備している。
【００５６】
アクセス情報取得部１５は、ネットワーク装置１０（例えば、コアネットワーク装置である交換局ＭＭＥ等）から、上述のアクセス情報を取得するように構成されている。なお、フェムトセル用無線基地局＃ａ２は、アクセス情報取得部１５の代わりに、アクセス情報管理部２３を具備するように構成されていてもよい。
【００５７】
図９を参照して、本変更例に係る移動通信システムの動作について説明する。
【００５８】
図９に示すように、ステップＳ２００１において、フェムトセル用無線基地局＃ａ２は、設置されると、周辺のマクロセルにおいて使用されている周波数を検出し、フェムトセル＃ａ２において使用する周波数ｆ２を決定し、パイロットセル＃ａ１及び＃ａ３を設定する。
【００５９】
ステップＳ２００２において、フェムトセル用無線基地局＃ａ２は、マクロセル＃Ａ１において通信を開始する移動局ＵＥ＃１或いはマクロセル＃Ａ１において通信中の移動局ＵＥ＃１に対して、パイロットセル＃ａ１及び＃ａ３を測定対象とするように指示する測定制御情報を送信する。
【００６０】
移動局ＵＥ＃１は、ステップＳ２００３において、パイロットセル＃ａ１及び＃ａ３における通信品質（誘導用報知情報の受信電力）を測定し、ステップＳ２００４において、かかる測定結果を含む測定報告を、フェムトセル用無線基地局＃ａ２に対して送信する。
【００６１】
フェムトセル用無線基地局＃ａ２は、ステップＳ２００５において、移動局ＵＥ＃１が、パイロットセル＃ａ１に関連付けられているフェムトセル＃ａ２にハンドオーバすべき旨を決定し、ステップＳ２００６において、かかる旨を指示するハンドオーバ指示を移動局ＵＥ＃１に送信する。
【００６２】
ステップＳ２００７において、移動局ＵＥ＃１は、フェムトセル＃ａ２にハンドオーバする。
【００６３】
（変更例２）
図１０を参照して、本発明の変更例２に係る移動通信システムについて説明する。以下、本発明の変更例２に係る移動通信システムについて、上述の第1の実施形態に係る移動通信システムとの相違点に着目して説明する。
【００６４】
図１０に示すように、本発明の変更例２に係る移動通信システムは、Ｗ-ＣＤＭＡ方式の移動通信システムであってもよいし、ＬＴＥ方式の移動通信システムであってもよい。
【００６５】
また、本発明の変更例２に係る移動通信システムでは、マクロセル用無線基地局＃Ａ１乃至＃Ａ４は、交換局ＭＭＥ又は無線制御装置ＲＮＣに接続されており、フェムトセル用無線基地局＃ａ２は、集約装置ＨＮＢ-ＧＷ、交換局ＭＭＥ又は無線制御装置ＲＮＣに接続されている。
【００６６】
本発明の変更例２に係る移動通信システムが、Ｗ-ＣＤＭＡ方式の移動通信システムである場合、上述のネットワーク装置１０の機能は、無線基地局ＮｏｄｅＢ、無線制御装置ＲＮＣ又は集約装置ＨＮＢ-ＧＷの少なくとも１つに搭載されることになる。すなわち、本変更例２に係る移動通信システムでは、無線基地局ＮｏｄｅＢ、無線制御装置ＲＮＣ又は集約装置ＨＮＢ-ＧＷの少なくとも１つが、上述のネットワーク装置１０の役割を果たすように構成されている。
【００６７】
或いは、本発明の変更例２に係る移動通信システムが、ＬＴＥ方式の移動通信システムである場合、上述のネットワーク装置１０の機能は、交換局ＭＭＥ、無線基地局ｅＮＢ又は集約装置ＨＮＢ-ＧＷの少なくとも１つに搭載されることになる。すなわち、本変更例２に係る移動通信システムでは、交換局ＭＭＥ、無線基地局ｅＮＢ又は集約装置ＨＮＢ-ＧＷの少なくとも１つが、上述のネットワーク装置１０の役割を果たすように構成されている。
【００６８】
（変更例３）
本変更例３では、変更例１，２のように構成されたフェムトセル用無線基地局を配置した場合において、誘導用報知情報として「Ａｃｃｅｓｓ  Ｃｌａｓｓ  Ｂａｒｒｅｄ ＬＩＳＴ」のような規制情報を使用してもよい。
【００６９】
かかる場合、Ｉｄｌｅ状態や共通ＣＨ通信状態等のネットワーク制御によるハンドオーバを伴わない状態にある移動局ＵＥは、パイロットセルを検知した場合に、当該パイロットセルの規制情報を検知することで、移動局ＵＥのセル再選択処理によりフェムトセルへ遷移することが期待できる。
【００７０】
（変更例４）
本変更例４では、変更例３のような移動局ＵＥの動作を期待する場合、例えば、パイロットセル及びフェムトセルを同周波数に配置するように構成してもよい。
【００７１】
かかる場合、移動局ＵＥが、パイロットセルを先に検知するように、フェムトセルより大きく設定することにより、変更例３と同様に、移動局ＵＥのセル再選択処理によりフェムトセルへ遷移することが期待できる。
【００７２】
なお、上述のフェムトセル用無線基地局＃ａやネットワーク装置１０の動作は、ハードウェアによって実施されてもよいし、プロセッサによって実行されるソフトウェアモジュールによって実施されてもよいし、両者の組み合わせによって実施されてもよい。
【００７３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、フェムトセル用無線基地局＃ａやネットワーク装置１０内に設けられていてもよい。また、かかる記憶媒体及びプロセッサは、ディスクリートコンポーネントとしてフェムトセル用無線基地局＃ａやネットワーク装置１０内に設けられていてもよい。
【００７５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７６】
＃ａ２…フェムトセル用無線基地局
１１…周辺セル検出部
１２…設定部
１３…パイロット信号送信部
１４…ハンドオーバー処理部
１５…アクセス情報取得部
１０…ネットワーク装置
２１…パイロットセル情報受信部
２２…パイロットセル情報管理部
２３…アクセス情報管理部
２４…測定制御情報送信部
２５…測定報告受信部
２６…ハンドオーバー指示送信部
【図１】
0005383884.tif 000002
【図２】
0005383884.tif 000003
【図３】
0005383884.tif 000004
【図４】
0005383884.tif 000005
【図５】
0005383884.tif 000006
【図６】
0005383884.tif 000007
【図７】
0005383884.tif 000008
【図８】
0005383884.tif 000009
【図９】
0005383884.tif 000010
【図１０】
0005383884.tif 000011